(57)【要約】【課題】部品点数が少なく構造が簡単で、しかも釣り糸を少しずつ繰り出して所定の深さに容易に合わせることができる電動リール付き釣り竿を提供するものである。【解決手段】先端に穂先２を着脱可能に取付けると共に、後部側に電池収納部４が形成された筒状の把持部１と、この把持部内に上下に回動自在に取付けられた電動モータ５と、この下部に設けられたコイルスプリング９と、把持部１の上部に設けられ前記電動モータ５を下方に押圧する糸出しスイッチ１０と、電動モータ５の出力軸６と直交して把持部内に立設された支持軸１５と、この支持軸に水平方向に回転自在に支持されたリール１６と、この一方のフランジ１７Ｂの側面が前記出力軸６の周面と接離自在に設けられたクラッチ１８とから構成されているものである。【選択図】  図２
0003125300.tif 000002
【実用新案登録請求の範囲】
【請求項１】
先端に穂先を着脱可能に取付けると共に、後部側に電池収納部が形成された筒状の把持部と、この把持部内に上下に回動自在に取付けられた電動モータと、この電動モータの下部に設けられた弾性部材と、把持部の上部に設けられ前記電動モータを下方に押圧する糸出しスイッチと、電動モータの出力軸と直交して把持部内に立設された支持軸と、この支持軸に水平方向に回転自在に支持されたリールと、このリールの一方のフランジの側面が前記電動モータの出力軸の周面と接離自在に設けられたクラッチとから構成されていることを特徴とする電動リール付き釣り竿。
【請求項２】
糸出しスイッチが、底面にテーパーを形成した押圧片を前後進自在に取付けて形成され、糸出しスイッチを前後進させることにより、前記テーパーに上部が接触する電動モータを上下に回動させるようにしたことを特徴とする請求項１記載の電動リール付き釣り竿。
【考案の詳細な説明】
【技術分野】
【０００１】
本考案は、ワカサギ釣りやハゼ、キス等の小魚釣りに使用する電動リール付き釣り竿に関するものである。
【背景技術】
【０００２】
一般にワカサギ釣りを行なう場合には、比較的短い釣り竿が使用されている。この釣り竿には釣り糸をリールに手動で巻上げるものと、リールを電動で巻上げるものとがある。
【０００３】
従来の電動リール付き釣り竿としては例えば、先端に穂先を着脱可能に取付けると共に、後端部分に電池収納部が形成された筒状の把持部の内側に電動モータを設け、この把持部にその長手方向に直交して支持軸を取付けて、ここにリールを上下動自在に設け、リールの一方のフランジの外周部側面に前記電動モータの出力軸の側面を接離自在に設け、カムによりリールを上下動させることにより、電動モータの出力軸をフランジに接離させるクラッチ機構を設けた釣り竿（特許文献１）が開発されている。
【０００４】
この電動リール付き釣り竿は、クラッチ機構を切ることにより、リールがフリー状態となって釣り糸が繰り出され、クラッチ機構を入れることにより、電動モータの回転力によりリールが回転して釣り糸を巻き上げるようになっている。
【０００５】
しかしながら従来の電動リール付き釣り竿は、釣り糸を巻き取るリールが支持軸にカムにより上下動自在に取付けられているので、釣り糸の巻き取りや、繰り出しの度にカムを手動で回転させてリールを上下動させるので、部品点数が多く構造が複雑で、しかも釣り糸を少しずつ繰り出すことができなかった。
【特許文献１】特開平１０ー１９１８４４
【考案の開示】
【考案が解決しようとする課題】
【０００６】
本考案は上記問題を改善し、部品点数が少なく構造が簡単で、しかも釣り糸を少しずつ繰り出して所定の深さに容易に合わせることができる電動リール付き釣り竿を提供するものである。
【課題を解決するための手段】
【０００７】
本考案の請求項１記載の電動リール付き釣り竿は、先端に穂先を着脱可能に取付けると共に、後部側に電池収納部が形成された筒状の把持部と、この把持部内に上下に回動自在に取付けられた電動モータと、この電動モータの下部に設けられた弾性部材と、把持部の上部に設けられ前記電動モータを下方に押圧する糸出しスイッチと、電動モータの出力軸と直交して把持部内に立設された支持軸と、この支持軸に水平方向に回転自在に支持されたリールと、このリールの一方のフランジの側面が前記電動モータの出力軸の周面と接離自在に設けられたクラッチとから構成されていることを特徴とするものである。
【０００８】
本考案の請求項２記載の電動リール付き釣り竿は、糸出しスイッチが、底面にテーパーを形成した押圧片を前後進自在に取付けて形成され、糸出しスイッチを前後進させることにより、前記テーパーに上部が接触する電動モータを上下に回動させるようにしたことを特徴とするものである。
【考案の効果】
【０００９】
本考案に係る請求項１記載の電動リール付き釣り竿によれば、電動モータを上下に回動自在に取付け、糸出しスイッチをスライドさせることにより、電動モータを傾斜させて出力軸とリールのフランジとで構成されたクラッチを切って、リールを自由回転させて釣り糸を繰り出し、糸出しスイッチを戻すことによりクラッチが入って電動モータによりリールを回転させて釣り糸を巻き上げるようにしたので、構造が簡単で、電動モータが駆動している状態でも釣り糸を少しずつ繰り出すことができ、所定の深さに釣り糸を容易に合わせることができる。
【００１０】
また請求項２記載の電動リール付き釣り竿によれば、糸出しスイッチが、底面にテーパーを形成した押圧片を前後進自在に取付けて形成されているので、糸出しスイッチを前後にスライドさせることにより、前記テーパーが電動モータを上下に回動させて、クラッチを作動させることができ操作性に優れている。
【考案を実施するための最良の形態】
【００１１】
以下本考案の実施の一形態を図１ないし図４を参照して詳細に説明する。図１は電動リール付き釣り竿を示すもので、１は円筒状の把持部で、この先端に穂先２を着脱可能に取付けると共に、後部側に電池３を収納する電池収納部４が形成されている。この円筒状の把持部１の先端側上部が切欠され、この後方に電動モータ５が、その出力軸６を把持部１の長手方向に沿って平行になるように配置されている。
【００１２】
また電動モータ５はその後部側がピン７により、上下に回動自在に支持されている。また電動モータ５の先端側下部には把持部１の内壁との間にコイルスプリング９が取付けられ、電動モータ５を上方に付勢している。
【００１３】
また電動モータ５を収納した把持部１の上部には糸出しスイッチ１０が設けられている。この糸出しスイッチ１０は、底面にテーパー１１を形成した押圧片１２が把持部１に前後進自在に取付けられている。前記テーパー１１に電動モータ５の先端側上部が接触し、糸出しスイッチ１０を後方にスライドさせると、図３に示すように押圧片１２のテーパー１１により電動モータ５がピン７を回動中心として下方に回動するようになっている。                                    
【００１４】
また円筒状の把持部１の先端側上部に形成された切欠部１４には、把持部１の底面から前記出力軸６と直交して支持軸１５が立設され、ここにリール１６が水平に取付けられて回転自在に支持されている。このリール１６を構成する、フランジ１７Ａ、１７Ｂの下方のフランジ１７Ｂの側面に、前記電動モータ５の出力軸６の周面が接離自在に設けられてクラッチ１８が形成されている。なお２０は把持部１の側面に設けた巻き上げスイッチ、２１は把持部１の先端側に設けられたストッパースイッチ、２２は釣り糸である。
【００１５】
上記構成の電動リール付き釣り竿を使用して釣りを行なう場合、先ず釣り糸２２を繰り出す。この場合、巻き上げスイッチ２０をオフにした状態で、図３に示すように糸出しスイッチ１０を後方にスライドさせると、押圧片１２のテーパー１１に押されて電動モータ５がピン７を回動中心として下方に回動して傾斜し、下方のフランジ１７Ｂの側面に接触していた電動モータ５の出力軸６が離れてクラッチ１８が切れる。この状態でリール１６はフリーになって、釣り糸２２やこの先端に取付けた図示しない重りの自重によりリール１６が自由回転して釣り糸２２が繰り出されていく。
【００１６】
釣り糸２２の先端が所定の水深近くまで達したら、糸出しスイッチ１０を前方にスライドさせると、押圧片１２のテーパー１１も前進して電動モータ５がコイルスプリング９の弾性によりピン７を回動中心として上方に回動し、図４に示すように下方のフランジ１７Ｂの側面と出力軸６とが接触して、クラッチ１８が入りリール１６の回転が停止して釣り糸２２が止る。
【００１７】
この状態で釣り糸２２の先端が所定の水深より深い位置まで達したら、巻き上げスイッチ２０を入れると、電動モータ５が回転し、この先端に取付けた出力軸６も回転して、これに接触しているリール１６の下方のフランジ１７Ｂも回転してリール１６により釣り糸２２が巻上げられる。釣り糸２２の先端が所定の水深よりやや浅い場合には、糸出しスイッチ１０を後方に移動させると、クラッチ１８が切れ、自重により釣り糸２２が繰り出され、糸出しスイッチ１０を前後に繰り返しスライドさせることにより、巻上げと繰り出しを交互に繰り返して、所定の水深に達した時に、巻き上げスイッチ２０をオフにする。
【００１８】
この状態で釣り竿を保持し、魚が掛かったら、巻き上げスイッチ２０をオンにするとクラッチ１８が入ったままなので、リール１６が回転して釣り糸２２を巻き上げ、魚を速やかに釣り上げることができる。
【００１９】
なお上記説明では電動モータ５の下部に設けられた弾性部材としてコイルスプリング９を用いた場合について示したが、バネ板を用いた構造でも良い。また糸出しスイッチを、底面にテーパーを形成した押圧片で構成した場合について示したが、電動モータ５を上下に回動できれば他の構造でも良い。
【図面の簡単な説明】
【００２０】
【図１】本考案の実施の一形態による電動リール付き釣り竿の平面図である。
【図２】図１の電動リール付き釣り竿を示す縦断側面図である。
【図３】クラッチが切れている状態を示す縦断側面図である。
【図４】クラッチが入ている状態を示す縦断側面図である。
【符号の説明】
【００２１】
１    円筒状の把持部                                        
２    穂先                                                  
３    電池                                                  
４    電池収納部                                            
５    電動モータ                                            
６    出力軸                                                
７    ピン                                                  
９    コイルスプリング                                      
１０  糸出しスイッチ                                        
１１  テーパー                                              
１２  押圧片                                                
１４  切欠部                                                
１５  支持軸                                                
１６  リール                                                
１７Ｂ  フランジ                                            
１８  クラッチ                                              
２０  巻き上げスイッチ                                      
２１  ストッパースイッチ                                    
２２  釣り糸      
【図１】
0003125300.tif 000003
【図２】
0003125300.tif 000004
【図３】
0003125300.tif 000005
【図４】
0003125300.tif 000006